【手続補正書】
【提出日】平成20年11月10日(2008.11.10)
【手続補正１】
【補正対象書類名】特許請求の範囲
【補正対象項目名】全文
【補正方法】変更
【補正の内容】
【特許請求の範囲】
【請求項１】
（ａ）窒素含有硬化部位モノマーから誘導された共重合単位と、水素含有モノマーから誘導された共重合単位を約１０モル％未満と、を含むフルオロポリマーと、
（ｂ）次式：
Ｒ（Ａ(-)）n
（式中、Ａ(-)は、アニオン性酸性基または酸性基のアニオン性誘導体であり、ｎは１〜１０であり、Ｒは、水素またはＣ1〜Ｃ20アルキル、アルケニル、アルキレン、アルケニレン、または高官能性有機部分、環式、アリール、あるいはそれらの組み合わせであり、Ｒは、非フッ素化、部分フッ素化または完全フッ素化されており、そしてｎが２である場合、Ｒは、２つのＡ基間の直接結合であってもよい）を有する少なくとも１つのアニオン性官能基を含み、そして次式：
ＱＲ'k(+)
（式中、Ｑは、リン、イオウ、窒素、ヒ素およびアンチモンから選択され、各Ｒ'は独立して、水素および非フッ素化、部分フッ素化または完全フッ素化Ｃ1〜Ｃ20アルキル、アリール、アラルキルもしくはアルケニル基から選択され、そしてｋは、Ｑの原子価＋１である）を有する少なくとも１つのカチオン性官能基を含む触媒組成物であって、化合物であるか、または別々に、もしくは混合物として添加されたそれらの前駆体である触媒組成物と、
（ｃ）次式：
Ｒ"2ＳＯx
（式中、各Ｒ"は、独立して、Ｃ1〜Ｃ30アルキル、アラルキルであり、Ｒ"基は一緒になって、複素環式Ｃ3〜Ｃ30シクロアルキル、アリールまたはアラルキルを形成し、各Ｒ"は、非フッ素化、部分フッ素化または完全フッ素化されていてもよく、そしてｘは１または２である）を有する組成物と、
を含む組成物。
【請求項２】
前記化合物（ｃ）が、ジアルキルスルホキシドおよびジアルキルスルホンから選択され、前記ジアルキルスルホキシドが、任意に、ジメチルスルホキシドおよびテトラメチレンスルホキシドから選択され；前記ジアルキルスルホンが、任意に、ジメチルスルホンおよびテトラメチレンスルホンから選択され；そしてさらに前記化合物（ｃ）が、任意に、少なくとも部分的にハロゲン化されている、請求項１に記載の組成物。
【請求項３】
Ａが、ＣＯＯ、ＣＯ3、Ｒがアリールまたはアルキルアリールである場合はＯ、ＳＯ3、ＳＯ2、ＳＯ2ＮＨ、ＰＯ3、ＰＯ4、ＣＦ3ＣＦ（ＣＦ3）ＣＨ2Ｏ、ＣnＦ2n+1ＣＨ2Ｏ（式中、ｎは０〜１００である）、ＣＨ2ＯＰＯ3、（ＣＨ2Ｏ）2ＰＯ2、Ｃ6Ｈ4Ｏ、ＯＳＯ3、ＳＯ2ＮＲ'、ＳＯ2ＮＳＯ2Ｒ'およびＳＯ2ＣＲＳＯ2Ｒ'（式中、Ｒ'は、請求項１において定義された通りである）から選択される、請求項１に記載の組成物。
【請求項４】
前記アニオン性官能基が、式Ｒx−Ｐｈy−｛（ＣＨ2）n−Ｄ｝m（式中、各Ｒxは、同一または異なるＣ1〜Ｃ10アルケニルまたはアルキルであり、ｘは０〜５であり、ｙは０または１であり、ｎは０〜１０であり、ｍは１〜５であり、そしてＤは、ＣＯＯ、ＣＯ3、ＯＳＯ3、ＳＯ3、ＰＯ4、およびＯ（ｙが１である場合）から選択されるが、ただし、ｘおよびｍの合計は６以下であり、そしてｘおよびｙの両方が０であることはないことを条件とする）；ＲＣＯＯ（式中、Ｒは、アルケニル、Ｃ1〜Ｃ10アルキル、またはＣ6〜Ｃ20アリールである）；(-)ＯＯＣ−（ＣＸ2）n−ＣＯＯ(-)（式中、ｎは、０〜１０であり、Ｘ＝Ｈ、ＦまたはＣｌ）；ならびにＰｈ−（（ＣＨ2）p−ＣＯＯ(-)）q（式中、ｐおよびｑは、独立して、１〜４である）；ＣＦ3ＣＦ（ＣＦ3）ＣＨ2ＯまたはＣnＦ2n+1ＣＨ2Ｏ（式中、ｎは０〜１００である）；エチレンジアミン四酢酸、トリエチレンテトラアミン六酢酸、ピロメリト酸および１，３，５−シクロヘキサンカルボン酸のアニオン；ならびに２以上のかかる化合物のブレンドから選択される、請求項１に記載の組成物。
【請求項５】
前記アニオン性官能基が、一般式(-)Ｏz−Ｐｈ−Ｇy−Ｐｈ−Ｏz(-)（式中、Ｇは、結合、または二官能性脂肪族、脂環族もしくはＣ1〜Ｃ13芳香族基、またはチオ、オキシ、カルボニル、スルフィニルもしくはスルホニル基であり、Ｇおよび／またはＰｈは、少なくとも１つのＣｌまたはＦ原子によって任意に置換されており、ｙは、０または１であり、各ｚは、独立して、１または２であり、そしてポリオキシ化合物のいずれの芳香族環も、Ｃｌ、ＦまたはＢｒ原子の少なくとも１つの原子、またはカルボキシル、またはアシル基、またはアルキル基によって任意に置換されている）；(-)Ｏ−Ｐｈ−Ｃ（ＣＸ3）2−Ｐｈ−Ｏ(-)（式中、Ｘは、Ｈ、ＣｌまたはＦである）；ならびに２以上のかかる化合物のブレンドから選択される、請求項１に記載の組成物。
【請求項６】
前記カチオン性官能基が、テトラメチルホスホニウム、トリブチルアリルホスホニウム、トリブチルベンジルホスホニウム、ジブチルジフェニルホスホニウム、テトラブチルホスホニウム、トリブチル（２−メトキシ）プロピルホスホニウム、トリフェニルベンジルホスホニウム、テトラフェニルホスホニウム、フェニルトリメチルアンモニウム、テトラペンチルアンモニウム、テトラプロピルアンモニウム、テトラヘキシルアンモニウム、テトラヘプチルアンモニウム、テトラメチルアンモニウム、テトラブチルアンモニウム、トリブチルベンジルアンモニウム、トリブチルアリルアンモニウム、テトラベンジルアンモニウム、テトラフェニルアンモニウム、ジフェニルジエチルアミノアンモニウム、トリフェニルベンジルアンモニウム、８−ベンジル−１，８−ジアザビシクロ［５．４．０］ウンデカ−７−エニウム、ベンジルトリス（ジメチルアミノ）ホスホニウム、およびビス（ベンジルジフェニルホスフィン）イミニウムから選択される、請求項１に記載の組成物。
【請求項７】
前記アニオン性官能基が、式（ｉ）ＣＦ3（ＣＦ2）nＣＯＯ(-)（式中、ｎは、１、２または６である）、（ｉｉ）(-)ＯＯＣ（ＣＦ2）nＣＯＯ(-)（式中、ｎは、２または４である）、（ｉｉｉ）アセテート、および（ｉｖ）ベンゾエートから選択され、
そしてＱＲ'kは、テトラブチルホスホニウムおよびトリブチル（２−メトキシ）プロピルホスホニウムから選択される、請求項１に記載の組成物。
【請求項８】
前記触媒組成物が、ＣＦ3−Ｏ−（ＣＦ2）nＣＯＯＱＲ'k（式中、ｎは、２または４であり、そしてＱＲ'kは、請求項１において定義された通りである）、ＣＦ3−Ｏ−ＣＦ2ＣＦ2ＣＯＯＰ（Ｃ4Ｈ9）4およびビス−テトラブチルホスホニウムペルフルオロアジペートから選択される、請求項１に記載の組成物。
【請求項９】
前記フルオロポリマーが、（ｉ）テトラフルオロエチレンと、任意に（ｉｉ）式：ＣＦ2＝ＣＦＯ（Ｒ2fＯ）a（Ｒ3fＯ）bＲ4f（式中、Ｒ2fおよびＲ3fは、同一または異なる直鎖もしくは分枝鎖Ｃ1〜Ｃ6ペルフルオロアルキレン基であり、ａおよびｂは、独立して、０または１〜１０の整数であり、そしてＲ4fは、Ｃ1〜Ｃ6ペルフルオロアルキル基である）の１以上のペルフルオロビニルエーテルとから誘導された共重合単位を含み、
そして任意に、前記フルオロポリマーが、ペルフルオロオレフィン、部分フッ素化オレフィン、非フッ素化オレフィン、フッ化ビニリデンおよびそれらの組み合わせよりなる群から選択されるモノマーから誘導された共重合単位をさらに含むが、ただし、前記水素含有モノマーが、前記フルオロポリマーの約１０モル％未満含まれる、請求項１〜８のいずれか一項に記載の組成物。
【請求項１０】
アンモニア−発生化合物、置換トリアジン誘導体、非置換トリアジン誘導体、ペルオキシド、ビス−アミノフェノール、ビス−アミドオキシム、有機スズ化合物から任意に選択される追加の硬化材料；式Ｒ3Ｎ・ＨＡの化合物（式中、基ＨＡは、無機または有機酸であり、そして各Ｒは、独立して、同一または異なるＣ1〜Ｃ20アルキル基であり、これらは、環式または複素環式であってもよく、あるいは、窒素が、アルケニル、シクロアルケニルまたは芳香族基に結合するか、またはその一部であるような、もう１つのＲ基への結合である）；二価金属アミン錯体化合物；ならびにトリアリルシアヌレート、トリアリルイソシアヌレート、トリ（メチルアリル）イソシアヌレート、トリス（ジアリルアミン）−ｓ−トリアジン、トリアリルホスフィット、Ｎ，Ｎ−ジアリルアクリルアミド、ヘキサアリルホスホルアミド、Ｎ，Ｎ，Ｎ'，Ｎ'−テトラアルキルテトラフタルアミド、Ｎ，Ｎ，Ｎ'，Ｎ'−テトラアリルマロンアミド、トリビニルイソシアヌレート、２，４，６−トリビニルメチルトリシロキサン、およびトリ（５−ノルボルネン−２−メチレン）シアヌレートから任意に選択される任意の助剤をさらに含む、請求項１に記載の組成物。
【請求項１１】
（ａ）窒素含有硬化部位モノマーから誘導された共重合単位を含むペルフルオロポリマーと、（ｂ）硬化剤と、（ｃ）式Ｒ"2ＳＯx（式中、各Ｒ"は、独立して、Ｃ1〜Ｃ30アルキル、アラルキルであり、Ｒ"基は一緒になって、複素環式Ｃ3〜Ｃ30シクロアルキル、アリールまたはアラルキルを形成し、各Ｒ"は、フッ素化されていてもよく、そしてｘは１または２である）を有する化合物と、を含む組成物。
【請求項１２】
前記硬化剤が、次式：｛ＲＡ｝(-)｛ＱＲ'k｝(+)
（式中、Ｒは、水素またはＣ1〜Ｃ20アルキルもしくはアルケニル、Ｃ3〜Ｃ20シクロアルキルもしくはシクロアルケニル、またはＣ6〜Ｃ20アリールもしくはアラルキルであり、これらは、非フッ素化、部分フッ素化または完全フッ素化されていてよく、Ａは、酸アニオンまたは酸誘導体アニオンであり、Ｑは、リン、イオウ、窒素、ヒ素またはアンチモンであり、各Ｒ'は、独立して、水素、あるいは非フッ素化、部分フッ素化または完全フッ素化Ｃ1〜Ｃ20アルキル、アリール、アラルキルもしくはアルケニル基であり、そしてｋは、Ｑの原子価＋１である）の化合物であるか、または別々に、もしくは混合物として添加されたそれらの前駆体を含む、請求項１１に記載の組成物。
【手続補正２】
【補正対象書類名】明細書
【補正対象項目名】０００５
【補正方法】変更
【補正の内容】
【０００５】
一態様において、本発明は、（ａ）窒素含有硬化部位モノマーから誘導された共重合単位と、水素含有モノマーから誘導された共重合単位を約１０モル％未満と、を含むフルオロポリマーと、（ｂ）次式：
Ｒ（Ａ(-)）n
（式中、Ａは、アニオン性酸性基または酸性基のアニオン性誘導体であり、ｎは、１〜１０であり、Ｒは、水素またはＣ1〜Ｃ20アルキル、アルケニル、アルキレン、アルケニレン、または高官能性有機部分、環式、アリール、あるいはそれらの組み合わせであり、Ｒは、非フッ素化、部分フッ素化または完全フッ素化（過フッ素化）(perfluorinated)されており、そしてｎが２である場合、Ｒは、２つのＡ基間の直接結合であってもよい）を有する少なくとも１つのアニオン性官能基を含み、そして次式：
ＱＲ'k(+)
（式中、Ｑは、リン、イオウ、窒素、ヒ素またはアンチモンから選択され、各Ｒ'は独立して、水素および非フッ素化、部分フッ素化または過フッ素化Ｃ1〜Ｃ20アルキル、アリール、アラルキルもしくはアルケニル基から選択され、そしてｋは、Ｑの原子価＋１である）を有する少なくとも１つのカチオン性官能基を含む触媒組成物であって、化合物であるか、または別々に、もしくは混合物として添加されたそれらの前駆体である触媒組成物と、（ｃ）次式：
Ｒ"2ＳＯx
（式中、各Ｒ"は、独立して、Ｃ1〜Ｃ30アルキル、アラルキルであり、Ｒ"基は一緒になって、複素環式Ｃ3〜Ｃ30シクロアルキル、アリールまたはアラルキルを形成し、各Ｒ"は、非フッ素化、部分フッ素化または過フッ素化されていてもよく、そしてｘは１または２である）を有する組成物と、を含む組成物に関する。
【手続補正３】
【補正対象書類名】明細書
【補正対象項目名】００１９
【補正方法】変更
【補正の内容】
【００１９】
フルオロポリマーが、完全ハロゲン化（過ハロゲン化）(perhalogenated)、好ましくは過フッ素化されている場合、それは、少なくとも５０モルパーセント（モル％）の、ＨＦＰを任意に含むＴＦＥおよび／またはＣＴＦＥから誘導された共重合単位を含有する。本発明の一実施形態において、フルオロポリマーの共重合単位の残部（典型的に１０モル％〜５０モル％）は、１以上のペルフルオロビニルエーテル、および窒素含有硬化部位モノマー（例えば、ニトリル含有ビニルエーテルまたはイミデート含有ビニルエーテル）から構成される。硬化部位モノマーは、フルオロポリマーの少なくとも約０．１モル％、より好ましくは少なくとも約０．３モル％を構成する。硬化部位モノマーは、フルオロポリマーの約５モル％以下、より好ましくは約２モル％以下を構成する。